(57)【要約】【課題】イオン交換器における交換作業を簡便に行うことができるようにする。【解決手段】イオン交換樹脂カートリッジ４７ｄと、該イオン交換樹脂カートリッジ４７ｄが収容されるケース４７ｅと、該ケース４７ｅの蓋４７ｆと、を有し、蓋４７ｆを取り外すことでイオン交換樹脂カートリッジ４７ｄを交換することが可能なイオン交換器４７を、当該イオン交換器４７が接続される冷却系内において冷却媒体の液面が重力方向最上部になるように搭載する。当該イオン交換器４７の液面高さが、冷却系を構成するラジエータ４３における冷却媒体注入口４３ａの位置より高く、あるいはラジエータ４３の最高位置より高いことが好ましい。【選択図】図２
2013233500.tif 000002
【特許請求の範囲】
【請求項１】
イオン交換樹脂カートリッジと、
該イオン交換樹脂カートリッジが収容されるケースと、
該ケースの蓋と、
を有し、
前記蓋を取り外すことで前記イオン交換樹脂カートリッジを交換することが可能であり、
当該イオン交換器が接続される冷却系内において冷却媒体の液面が重力方向最上部になるように搭載されている、イオン交換器。
【請求項２】
当該イオン交換器の液面高さが、前記冷却系を構成するラジエータにおける冷却媒体注入口の位置より高い、請求項１に記載のイオン交換器。
【請求項３】
当該イオン交換器の液面高さが、前記冷却系を構成するラジエータの最高位置より高い、請求項１に記載のイオン交換器。
【請求項４】
反応ガスの電気化学反応により発電する燃料電池を有する燃料電池システムにおいて、
当該燃料電池に接続される配管に、請求項１から３のいずれか一項に記載のイオン交換器が配置されていることを特徴とする燃料電池システム。
【請求項５】
燃料電池車両に搭載されている、請求項４に記載の燃料電池システム。
【請求項６】
前記イオン交換器が前記燃料電池車両の機関室内の上部付近に搭載されている、請求項５に記載の燃料電池システム。
【発明の詳細な説明】
【技術分野】
【０００１】
本発明は、イオン交換器およびこれを含む燃料電池システムに関する。さらに詳述すると、本発明は、燃料電池システム等において用いられるイオン交換器の構造の改良に関する。
【背景技術】
【０００２】
イオン交換器は、例えば燃料電池の冷却系において冷却媒体（冷却水）の不純物を除去する機器などとして利用されている。イオン交換器のイオン交換樹脂はイオン交換性の基をもつ高分子電解質からなる網状構造の樹脂であり、イオン交換によって吸着したイオンを樹脂の表面だけでなく内部にも入り込ませる。例えば燃料電池システムの配管部品等から溶出した不純物中には金属イオンやフッ素イオンが含まれている場合があり、これらイオンは金属の腐食や燃料電池の機能低下を招くおそれがあるが、このようなイオン交換樹脂によればイオンを吸着して除去することが可能である。
【０００３】
従来のイオン交換器には、ケースとイオン交換樹脂とが一体となった当該イオン交換器をケースごと交換するもの等がある（例えば特許文献１参照）。
【先行技術文献】
【特許文献】
【０００４】
【特許文献１】特開２０１０−０６７３６９号公報
【発明の概要】
【発明が解決しようとする課題】
【０００５】
しかしながら、上述のごとき従来のイオン交換器にあっては、交換時に冷却水がこぼれないようにするため、イオン交換器と他の冷却系部品とが繋がった部分を遮断する等しなければならず、交換作業が煩雑になりやすい。
【０００６】
そこで、本発明は、当該イオン交換器における交換作業を簡便に行うことができるようにしたイオン交換器およびこれを含む燃料電池システムを提供することを目的とする。
【課題を解決するための手段】
【０００７】
かかる課題を解決するべく本発明者は種々の検討を行った。冷却水がこぼれないようにするために、例えば、イオン交換器と他の冷却系部品とがつながった部分をホースクリップで一時的に止めておくといったことが行われているものの、それでもイオン交換器内やホース内の冷却水がこぼれてしまうことがあり、そうした場合にはこぼれた水量分の冷却水を補充する手間も生じる。こういった事情から、イオン交換器内の冷却水がこぼれないように注意しながらの作業が必要であり、このことが交換作業を繁雑なものとし、作業の簡便さや効率性の向上を妨げているという実情がある。このような実情についてさらに検討を重ねた本発明者は、ケースの蓋（アッパー）を取り外してイオン交換樹脂カートリッジを交換することが可能なイオン交換器において、イオン交換器における冷却水の上面高さより高い位置に他の冷却系部品が配置されていると、ケースの蓋を取り外した際に冷却水があふれ、こぼれるという構造に着目し、かかる課題の解決に結び付く新たな知見を得るに至った。
【０００８】
このような知見に基づく本発明のイオン交換器は、イオン交換樹脂カートリッジと、該イオン交換樹脂カートリッジが収容されるケースと、該ケースの蓋と、を有し、蓋を取り外すことでイオン交換樹脂カートリッジを交換することが可能であり、当該イオン交換器が接続される冷却系内において冷却媒体の液面が重力方向最上部になるように搭載されているというものである。
【０００９】
このようなイオン交換器によれば、イオン交換樹脂カートリッジの交換のために蓋を開けた際、冷却媒体がこぼれることがない。すなわち、通常、イオン交換器において冷却媒体がこぼれる部分は蓋部分にしかなく、この点、本発明では冷却媒体が流れる冷却系において当該イオン交換器の冷却媒体の液面が重量方向最上部となるようにしているため、その状態で蓋を開けても冷却媒体がこぼれることがないため、イオン交換樹脂カートリッジの交換作業が簡便なものとなり、尚かつこぼれた水量分の冷却媒体を補充するといった手間が生じることもない。
【００１０】
このようなイオン交換器において、当該イオン交換器の液面高さが、冷却系を構成するラジエータにおける冷却媒体注入口の位置より高いことが好ましい。
【００１１】
あるいは、上述のようなイオン交換器において、当該イオン交換器の液面高さが、冷却系を構成するラジエータの最高位置より高いことも好ましい。
【００１２】
また、本発明では、反応ガスの電気化学反応により発電する燃料電池を有する燃料電池システムにおいて、当該燃料電池に接続される配管に、上述のごときイオン交換器が配置されていることを特徴としている。このような燃料電池システムが燃料電池車両に搭載されていることも好ましい。この場合、イオン交換器が燃料電池車両の機関室内の上部付近に搭載されていることが好ましい。
【発明の効果】
【００１３】
本発明によれば、当該イオン交換器における交換作業を簡便に行うことができるようになる。
【図面の簡単な説明】
【００１４】
【図１】本発明の一実施形態における燃料電池システムの構成を示す図である。
【図２】本発明の一実施形態におけるイオン交換器とラジエータの配置例を示す図である。
【図３】燃料電池システムにおける冷媒配管系の一例を示す図である。
【図４】イオン交換器の配置例を示す燃料電池車両の前部分の図である。
【発明を実施するための形態】
【００１５】
以下、本発明の構成を図面に示す実施の形態の一例に基づいて詳細に説明する。
【００１６】
図１〜図４に本発明にかかるイオン交換器の実施形態を示す。本発明にかかるイオン交換器４７は、イオン交換樹脂カートリッジ４７ｄと、該イオン交換樹脂カートリッジ４７ｄが収容されるケース４７ｅと、該ケース４７ｅの蓋４７ｆと、を有しているもので（図２参照）、例えば燃料電池車両ＦＣＨＶに搭載された燃料電池システム１において利用される（図１等参照）。以下では、本発明の一実施形態における燃料電池システム１の全体構成について説明し、その後、イオン交換器４７の構造等について説明する。
【００１７】
図１に本実施形態における燃料電池システム１の概略構成を示す。図示するように、燃料電池システム１は、燃料電池２と、酸化ガスとしての空気（酸素）を燃料電池２に供給する酸化ガス配管系３と、燃料ガスとしての水素を燃料電池２に供給する燃料ガス配管系４と、燃料電池２に冷媒（冷却媒体）を供給して燃料電池２を冷却する冷媒配管系５と、システムの電力を充放電する電力系（図示省略）と、システム全体を統括制御する制御部７と、を備えている。
【００１８】
燃料電池２は、例えば固体高分子電解質型で構成され、多数の単セルを積層したスタック構造となっている。燃料電池２の単セルは、イオン交換膜からなる電解質の一方の面に空気極を有し、他方の面に燃料極を有し、さらに空気極及び燃料極を両側から挟みこむように一対のセパレータを有している。一方のセパレータの燃料ガス流路に燃料ガスが供給され、他方のセパレータの酸化ガス流路に酸化ガスが供給され、このガス供給により燃料電池２は電力を発生する。
【００１９】
酸化ガス配管系３は、燃料電池２に供給される酸化ガスが流れるガス供給流路１１と、燃料電池２から排出された酸化オフガスが流れるガス排出路１２と、を有している。ガス供給流路１１には、エアクリーナー（フィルタ）１３を介して酸化ガスを取り込むコンプレッサ１４が設けられている。ガス排出路１２には、マフラー１８が設けられており、酸化オフガスはこれらを通り、排ガスとしてシステム外の大気中に排気される。コンプレッサ１４は、モータ１４ａの駆動により大気中の酸化ガスを取り込む。
【００２０】
燃料ガス配管系４は、水素供給源２１と、水素供給源２１から燃料電池２に供給される水素ガスが流れるガス供給流路２２と、燃料電池２から排出された水素オフガス（燃料オフガス）をガス供給流路２２の合流点Ａに戻すための水素オフガス循環ライン２３と、水素オフガス循環ライン２３内の水素オフガスをガス供給流路２２に圧送するポンプ２４と、を有している。水素ポンプ２４は、モータ２４ａの駆動により、循環系内の水素ガスを燃料電池２に循環供給する。
【００２１】
水素供給源２１は、例えば高圧水素タンクや水素吸蔵合金などで構成され、例えば３５ＭＰａまたは７０ＭＰａの水素ガスを貯留可能に構成されている。水素供給源２１の元弁等の弁を開くと、ガス供給流路２２に水素ガスが流出する。水素ガスは、調圧弁２７その他の減圧弁により、最終的に例えば２００ｋＰａ程度まで減圧されて、燃料電池２に供給される。
【００２２】
冷媒配管系（冷却系）５は、燃料電池２内の冷却流路に連通する冷媒流路４１と、冷媒流路４１に設けられた冷却ポンプ４２と、燃料電池２から排出される冷媒を冷却するラジエータ４３と、ラジエータ４３をバイパスするバイパス流路４４と、ラジエータ４３及びバイパス流路４４の冷却水の通流を設定する三方弁４５と、冷却配管４６と、イオン交換器４７を有している。冷却ポンプ４２は、モータ４２ａの駆動により、冷媒流路４１内の冷媒を燃料電池２に循環供給する。ラジエータ４３のラジエータタンク４３ｂには、冷媒が注入される冷媒注入口（冷却媒体注入口）４３ａが設けられている（図２参照）。
【００２３】
制御部７は、内部にＣＰＵ，ＲＯＭ，ＲＡＭを備えたマイクロコンピュータとして構成される。ＣＰＵは、制御プラグラムに従って所望の演算を実行して、ポンプ２４の解凍制御など、種々の処理や制御を行う。ＲＯＭは、ＣＰＵで処理する制御プログラムや制御データを記憶する。ＲＡＭは、主として制御処理のための各種作業領域として使用される。制御部７は、ガス系統（酸化ガス配管系３、燃料ガス配管系４）や冷媒配管系５に用いられる各種の圧力センサや温度センサ、外気温センサなどの検出信号を入力し、各構成要素に制御信号を出力する。
【００２４】
続いて、イオン交換器４７の構成について説明する（図２等参照）。
【００２５】
本実施形態では、冷媒配管系５の冷却配管４６にイオン交換器４７を設けており、このイオン交換器４７を、循環する冷媒（例えば冷却水）中の不純物を除去する装置（不純物除去装置）として機能させている。冷却配管４６は、冷媒流路４１とバイパス流路４４とを接続する配管によって形成されている（図３等参照）。イオン交換器４７の内部にはイオン交換樹脂カートリッジ４７ｄが充填されている。イオン交換器４７のケース４７ｅには、イオン交換樹脂カートリッジ４７ｄを交換する際に開閉ないし着脱することが可能な蓋４７ｆが設けられている（図２参照）。
【００２６】
イオン交換樹脂カートリッジ４７ｄはイオン交換性の基をもつ高分子電解質からなる網状構造の樹脂を含むカートリッジであり、イオン交換によってイオンを吸着する機能を有している。例えば本実施形態におけるイオン交換樹脂カートリッジ４７ｄはカチオン交換樹脂とアニオン交換樹脂とを有しているものである。イオン交換樹脂は通常粒子状であるが繊維状のものを使用することもできる。
【００２７】
ここで、イオン交換器４７は、冷媒配管系５内において、冷媒の液面が重力方向最上部になるように搭載されていることが好ましい。こうすることによって、イオン交換樹脂カートリッジ４７ｄの交換のために蓋４７ｆを開けた際、冷媒がこぼれないようにすることができる。例えば本実施形態では、イオン交換器４７を、当該イオン交換器４７内における冷媒の液面高さがラジエータ４３の冷媒注入口４３ａの位置より高くなるように配置している（図２中の破線参照）。あるいは、イオン交換器４７を、当該イオン交換器４７内における冷媒の液面高さがラジエータ４３の最高位置（例えば、ラジエータタンク４３ｂの上面）より高くなるように配置してもよい。図２に示しているような蓋４７ｆを有する構造のイオン交換器４７の場合、通常、冷媒がこぼれうる部分は当該蓋部分にしかない。この点、本実施形態では当該イオン交換器４７の冷媒の液面が重量方向最上部となるように配置することにより、蓋４７ｆを開けた際に冷媒がこぼれることを抑止し、これによってイオン交換樹脂カートリッジ４７ｄの交換作業を簡便なものとし、尚かつこぼれた水量分の冷媒を補充する手間をなくしている。
【００２８】
ちなみに、上述したイオン交換器４７は、燃料電池車両ＦＣＨＶの例えば前方上部に収容されていることが好ましい（図４参照）。イオン交換器４７を機関室内の上部付近（例えばボンネットフードＢの真下のような位置）など、外部から取り扱いやすい場所に配置しておけば、当該イオン交換器４７を交換する作業、再生剤を供給する作業のいずれも行いやすい。
【００２９】
なお、上述の実施形態は本発明の好適な実施の一例ではあるがこれに限定されるものではなく本発明の要旨を逸脱しない範囲において種々変形実施可能である。例えば、上述した実施形態では燃料電池システム１の冷媒配管系５のイオン交換器４７に本発明を適用した場合について説明したが、上述した構造や構成はその他の部位におけるイオン交換器にも応用することは可能である。その他のイオン交換器としては、例えば燃料ガス配管系４の水素オフガス循環ライン２３に設けられている、気液分離器３１やイオン交換樹脂３２などを含む不純物除去装置３０がある（図１参照）。
【産業上の利用可能性】
【００３０】
本発明は、燃料電池システムの冷却系等に配置されるイオン交換器に適用して好適である。
【符号の説明】
【００３１】
１…燃料電池システム、２…燃料電池、５…冷媒配管系（冷却系）、４３…ラジエータ、４３ａ…冷媒注入口（冷却媒体注入口）、４６…冷却配管（配管）、４７…イオン交換器、４７ｄ…イオン交換樹脂カートリッジ、４７ｅ…ケース、４７ｆ…蓋、ＦＣＨＶ…燃料電池車両
【図１】
2013233500.tif 000003
【図２】
2013233500.tif 000004
【図３】
2013233500.tif 000005
【図４】
2013233500.tif 000006